(57)【要約】【課題】スプリング式硬さ計１を昇降スピンドル２に連結する硬さ計連結ジョイントにおいて、円筒状の試料であっても、圧針の位置で加圧面と試料が接触し、試料の硬さが正確に測定されるようにする。【解決手段】球面座１５が昇降スピンドル２の下端に形成され、球面座１５のまわりにおいて、ねじみぞ１６が昇降スピンドル２の下端に形成され、ケーシング１７がねじみぞ１６にねじ合わされ、拡大ヘッド１８が硬さ計１の上端に形成され、拡大ヘッド１８は球面状をなし、ケーシング１７に収容され、球面座１５に対向する。【選択図】図３
2004184325.tif 000002
【特許請求の範囲】
【請求項１】
加圧面から突出するスプリング付勢された圧針を有し、前記加圧面を試料に押し付け、前記圧針によって前記試料の硬さを測定するスプリング式硬さ計を昇降スピンドルの下端に連結する硬さ計連結ジョイントであって、
前記昇降スピンドルの下端に形成された球面座と、
前記球面座のまわりにおいて、前記昇降スピンドルの下端に形成されたねじみぞと、
前記ねじみぞにねじ合わされたケーシングと、
前記硬さ計の上端に形成され、球面状をなし、前記ケーシングに収容され、前記球面座に対向する拡大ヘッドとからなり、
前記ケーシングおよび拡大ヘッドによって前記硬さ計を支持し、前記加圧面を前記試料または治具に押し付け、前記球面座によって前記拡大ヘッドを案内し、前記硬さ計を揺動させ、その後、前記ねじみぞによって前記ケーシングを締め付け、前記拡大ヘッドを前記球面座に押し付け、これによって前記硬さ計を固定するようにしたことを特徴とする硬さ計連結ジョイント。
【請求項２】
加圧面から突出するスプリング付勢された圧針を有し、前記加圧面を試料に押し付け、前記圧針によって前記試料の硬さを測定するスプリング式硬さ計を昇降スピンドルの下端に連結する硬さ計連結ジョイントであって、
前記硬さ計の上端に形成された球面座と、
前記球面座のまわりにおいて、前記硬さ計の上端に形成されたねじみぞと、
前記ねじみぞにねじ合わされたケーシングと、
前記昇降スピンドルの下端に形成され、球面状をなし、前記ケーシングに収容され、前記球面座に対向する拡大ヘッドとからなり、
前記拡大ヘッドおよびケーシングによって前記硬さ計を支持し、前記加圧面を前記試料または治具に押し付け、前記拡大ヘッドによって前記球面座を案内し、前記硬さ計を揺動させ、その後、前記ねじみぞによって前記ケーシングを締め付け、前記球面座を前記拡大ヘッドに押し付け、これによって前記硬さ計を固定するようにしたことを特徴とする硬さ計連結ジョイント。
【発明の詳細な説明】
【０００１】
【産業上の利用分野】
この発明は、スプリング式硬さ計を昇降スピンドルの下端に連結する硬さ計連結ジョイントに関するものである。
【０００２】
【従来技術とその問題点】
スプリング式硬さ計とは加圧面から突出するスプリング付勢された圧針を有し、加圧面を試料に押し付け、圧針によって試料の硬さを測定する硬さ計のことである。この場合、試料の硬さを正確に測定するには、加圧面を試料に押し付けたとき、両者が的確に接触するようにする必要がある。これを目的とし、以前、出願人は特別の構成の硬さ計連結ジョイントを開発し、提案した。実公平６−５６０８号公報（特許文献１）に記載されているものがそれである。同公報のものでは、硬さ計が昇降スピンドルの下端に連結され、揺動可能に支持される。したがって、試料が平板状であり、加圧面がそれに押し付けられたとき、試料によって硬さ計が揺動し、加圧面と試料が接触する。
【０００３】
しかしながら、たとえば、試料が円筒状であるとき、同公報のものを使用することは適当ではない。加圧面を試料に押し付けると、試料の周方向において、その曲面によって硬さ計が揺動し、不安定であり、圧針の位置で加圧面と試料が接触せず、離れてしまうという問題があり、試料の硬さを正確に測定することができない。
【０００４】
【特許文献１】
実公平６−５６０８号公報
【０００５】
【発明の目的】
したがって、この発明は、加圧面から突出するスプリング付勢された圧針を有し、加圧面を試料に押し付け、圧針によって試料の硬さを測定するスプリング式硬さ計を昇降スピンドルに連結する硬さ計連結ジョイントにおいて、円筒状の試料であっても、加圧面と試料が的確に接触し、試料の硬さが正確に測定されるようにすることを目的としてなされたものである。
【０００６】
【発明の構成】
この発明によれば、球面座が昇降スピンドルの下端に形成され、球面座のまわりにおいて、ねじみぞが昇降スピンドルの下端に形成される。さらに、ケーシングがねじみぞにねじ合わされ、拡大ヘッドが硬さ計の上端に形成される。拡大ヘッドは球面状をなし、ケーシングに収容され、球面座に対向する。したがって、ケーシングおよび拡大ヘッドによって硬さ計を支持し、加圧面を試料または治具に押し付け、球面座によって拡大ヘッドを案内し、硬さ計を揺動させることができる。その後、ねじみぞによってケーシングを締め付け、拡大ヘッドを球面座に押し付け、これによって硬さ計を固定することができる。
【０００７】
反対に、球面座を硬さ計の上端に形成し、球面座のまわりにおいて、ねじみぞを硬さ計の上端に形成してもよい。さらに、ケーシングをねじみぞにねじ合わせ、拡大ヘッドを昇降スピンドルの下端に形成し、ケーシングに収容し、球面座に対向させると、拡大ヘッドおよびケーシングによって硬さ計を支持し、加圧面を試料または軸に押し付け、拡大ヘッドによって球面座を案内し、硬さ計を揺動させることができる。その後、ねじみぞによってケーシングを締め付け、球面座を拡大ヘッドに押し付け、これによって硬さ計を固定することができる。
【０００８】
【実施例の説明】
以下、この発明の実施例を説明する。
【０００９】
図１はこの発明にかかる硬さ計連結ジョイントを示す。この連結ジョイントはスプリング式硬さ計１を昇降スピンドル２の下端に連結するためのもので、昇降スピンドル２は垂直にのび、キャリジ３に支持されている。図２に示すように、キャリジ３はベース４から直立する支柱５に取り付けられており、支柱５に沿って昇降可能である。ハンドル６によってキャリジ３をロックすることもできる。レバー７によって昇降スピンドル２を操作し、これをキャリジ３に対し昇降させることもできる。さらに、分銅８を昇降スピンドル２の上端に取り付け、昇降スピンドル２を昇降自在に解放し、分銅８を昇降スピンドル２および硬さ計１に作用させることができる。硬さ計１は実公平６−５６０８号公報に記載されている硬度計と同様のもので、加圧面９から突出するスプリング付勢された圧針１０を有する。したがって、試料１１をベース４の試料台１２に載せ、加圧面９を試料１１に押し付け、圧針１０によって試料１１の硬さを測定することができる。試料１１は円筒状のゴムロールからなる。適宜の調節機構１３によって試料台１２および試料１１を移動させ、その位置を調節することもできる。
【００１０】
図３に示すように、この連結ジョイントは昇降スピンドル２の下端にねじ付けられた袋ナット１４を有する。さらに、袋ナット１４の下部に減径加工が施され、球面座１５が減径加工部の下面に形成され、球面座１５のまわりにおいて、ねじみぞ１６が減径加工部の外周面に形成されている。したがって、球面座１５が昇降スピンドル２の下端に形成され、球面座１５のまわりにおいて、ねじみぞ１６が昇降スピンドル２の下端に形成されているものである。さらに、ケーシング１７がねじみぞ１６にねじ合わされ、拡大ヘッド１８が硬さ計１の上端に形成されている。拡大ヘッド１８は球面状をなし、ケーシング１７に収容され、球面座１５に対向する。この実施例では、軸部１９が硬さ計１の上端に設けられ、拡大ヘッド１８はその上端に形成されている。ケーシング１７は袋ナット状のもので、底面に形成された透孔２０を有する。そして、軸部１９が透孔２０に挿入され、拡大ヘッド１８がケーシング１７に収容されているものである。したがって、透孔２０のまわりにおいて、拡大ヘッド１８がケーシング１７に係合し、ケーシング１７および拡大ヘッド１８によって硬さ計１が支持される。
【００１１】
この連結ジョイントにおいて、まず、分銅８を昇降スピンドル２の上端に取り付け、その状態で昇降スピンドル２および硬さ計１を下降させ、加圧面９を試料１１に押し付けると、球面座１５によって拡大ヘッド１８が案内され、硬さ計１が揺動し、その角度が調節され、図４に示すように、円筒状の試料１１の母線Ｙ上で加圧面９と試料１１を接触させることができる。さらに、その後、水平方向において、調節機構１３によって試料台１２および試料１１を移動させ、その位置を試料１１の半径方向に調節すると、それによって硬さ計１が揺動し、その角度が調節され、圧針１０の位置で加圧面９と試料１１を接触させることができる。
その後、その状態でケーシング１７を回転させ、ねじみぞ１６によってケーシング１７を締め付けると、拡大ヘッド１８を球面座１５に押し付け、これによって硬さ計１を固定することができる。したがって、その後、硬さ計１が揺動することはなく、その角度を調節された状態に保つことができる。
【００１２】
なお、硬さ計１を揺動させ、その角度を調節するとき、実物の試料１１に代えて試料１１と同一径の円筒状の鉄心などの治具を使用することが好ましい。この場合、その治具を試料台１２に載せ、硬さ計１の加圧面９を治具に押し付けると、治具によって圧針１０が押し返され、後退する。しかも、治具は硬く、圧針１０によって治具がへこむことはない。したがって、球面座１５によって拡大ヘッド１８が案内され、硬さ計１が揺動し、その角度が調節され、圧針１０の位置で加圧面９と試料１１が接触したとき、圧針１０は完全に押し返される。したがって、硬さ計１によってそれを読み取り、確認することができる。その後、その状態でケーシング１７を回転させ、硬さ計１を固定すればよく、その調節操作は容易である。
【００１３】
したがって、硬さ計１の角度調節後、昇降スピンドル２および硬さ計１を一旦上昇させ、試料１１を試料台１２に載せ、硬さ計１を再度下降させ、加圧面９を試料１１に押し付けると、ケーシング１７、拡大ヘッド１８および球面座１５によって硬さ計１が固定され、揺動せず、その角度が調節された状態に保たれる。したがって、圧針１０の位置で加圧面９と試料１１が接触し、試料１１の硬さを正確に測定することができる。さらに、硬さの測定後、試料１１を次の試料と交換し、それを試料台１２に載せ、硬さ計１を再度下降させ、加圧面９を試料１１に押し付けることができ、同一径の試料１１であれば、その硬さを順次交互に測定することができる。
【００１４】
図５は他の実施例を示す。この実施例では、反対に、球面座２１が硬さ計１の上端に形成され、球面座２１のまわりにおいて、ねじみぞ２２が硬さ計１の上端に形成されている。さらに、ケーシング２３がねじみぞ２２にねじ合わされ、拡大ヘッド２４が昇降スピンドル２の下端に形成され、拡大ヘッド２４は球面状をなし、ケーシング２３に収容されており、球面座２１に対向する。
【００１５】
したがって、拡大ヘッド２４およびケーシング２３によって硬さ計１を支持し、加圧面９を試料１１または治具に押し付けることができる。さらに、拡大ヘッド２４によって球面座２１を案内し、硬さ計１を揺動させ、その角度を調節することができ、圧針１０の位置で加圧面９と試料１１を接触させることができる。その後、ねじみぞ２２によってケーシング２３を締め付け、球面座２１を拡大ヘッド２４に押し付け、これによって硬度計１を固定することができる。したがって、その後、硬さ計１を再度下降させ、加圧面９を試料１１に押し付けると、圧針１０の位置で加圧面９と試料１１を接触させ、試料１１の硬さを正確に測定することができ、同様の作用効果を得ることができる。
【００１６】
【発明の効果】
以上説明したように、この発明によれば、円筒状の試料１１であっても、加圧面９と試料１１を的確に接触させ、試料１１の硬さを正確に測定することができ、所期の目的を達成することができるものである。
【図面の簡単な説明】
【図１】この発明の実施例を示す正面図である。
【図２】図１の硬さ計および連結ジョイントの側面図である。
【図３】図１の連結ジョイントの拡大断面図である。
【図４】図１の硬さ計の加圧面と試料の関係を示す斜視図である。
【図５】他の実施例を示す拡大断面図である。
【符号の説明】
１  硬さ計
２  昇降スピンドル
９  加圧面
１０  圧針
１１  試料
１５，２１  球面座
１６，２２  ねじみぞ
１７，２３  ケーシング
１８，２４  拡大ヘッド
【図１】
2004184325.tif 000003
【図２】
2004184325.tif 000004
【図３】
2004184325.tif 000005
【図４】
2004184325.tif 000006
【図５】
2004184325.tif 000007